(57)【要約】【課題】  共振周波数が可変の受信アンテナを有する受信装置において、妨害波等の影響を除去して、常に所望の放送波を良好に受信する。【解決手段】  受信装置１０は所望の送信信号を受信信号として受信しており、受信アンテナ１１はその共振周波数が調整可能であり、受信アンテナ１１の共振周波数は直流制御電圧生成部１６ｃから出力される直流制御電圧によって調整される。その結果、受信電界状況識別部１６ｂは受信アンテナで受信される受信信号の受信電界レベルに応じて直流制御電圧生成部を制御する。【選択図】        図１
2006166009.tif 000002
【特許請求の範囲】
【請求項１】
共振周波数を調整可能な受信アンテナと、
前記共振周波数を調整する周波数調整手段と、
前記受信アンテナで受信される受信信号の受信電界レベルに応じて前記周波数調整手段を制御する制御手段とを備えた受信装置。
【請求項２】
受信アンテナに接続され受信信号の受信電界レベルを調整してＲＦレベルとする高周波利得手段と、
前記高周波利得手段からの出力のレベル調整を行いＩＦレベルとする中間周波利得手段とを有し、
制御手段は前記ＲＦレベル及び前記ＩＦレベルに応じて周波数調整手段を制御することを特徴とする請求項１記載の受信装置。
【請求項３】
中間周波利得手段からの出力を復調して復調信号を得る復調手段と、
前記復調手段による復調の際のエラー数を検出してエラー検出信号を出力するエラー検出手段とを有し、
制御手段は前記エラー検出信号で示されるエラー数が予め定められた数を越えると、ＲＦレベル及びＩＦレベルに応じて周波数調整手段を制御することを特徴とする請求項２記載の受信装置。
【請求項４】
制御手段は、ＲＦレベルと予め規定されたＲＦレベル閾値とを比較して、前記ＲＦレベルが前記ＲＦレベル閾値を越えているとハイレベルの第１の比較結果信号を出力する第１の比較手段と、
ＩＦレベルと予め規定されたＩＦレベル閾値とを比較して、前記ＩＦレベルが前記ＩＦレベル閾値を越えているとハイレベルの第２の比較結果信号を出力し、前記ＩＦレベルが前記ＩＦレベル閾値以下であるとロウレベルの第２の比較結果信号を出力する第２の比較手段と、
前記第１の比較結果信号がハイレベルであって前記第２の比較結果信号がロウレベルであると第１の周波数調整信号を出力する第１の調整手段と、
前記第１の比較結果信号がハイレベルであって前記第２の比較結果信号がハイレベルであると第２の周波数調整信号を出力する第２の調整手段と、
エラー検出信号に応じて前記第１又は第２の周波数調整信号を周波数調整手段に与える出力判定手段とを有することを特徴とする請求項１記載の受信装置。
【請求項５】
周波数調整手段は第１の周波数調整信号を受けた際共振周波数を第１の量だけずらし、第２の周波数調整信号を受けた際前記共振周波数を前記第１の量よりも大きい第２の量ずらすようにしたことを特徴とする請求項４記載の受信装置。
【発明の詳細な説明】
【技術分野】
【０００１】
この発明は共振周波数が可変の受信アンテナを備える受信装置に関し、特に、受信アンテナの共振周波数を制御することのできる受信装置に関するものである。
【背景技術】
【０００２】
一般に、移動体用受信装置で用いられる受信アンテナは、単一のエレメントで構成されており、このような受信アンテナにおいては、中心周波数でのみ共振する所謂単峰性ＶＳＷＲ（電圧定在波比）特性を有している。このため、中心周波数近傍を除く周波数帯域においては受信感度が大きく低下してしまうことになる。つまり、下限周波数の近傍及び上限周波数の近傍においては、ＶＳＷＲが著しく悪化して、中心周波数の近傍を除く周波数帯域では受信感度が大きく低下する。
【０００３】
このような不具合を防止して、受信周波数帯域内の感度低下を改善し、受信周波数に応じて最良のＶＳＷＲを得るため、受信用アンテナの基端部と受信機のアンテナ入力端との間にＬＣ直列共振回路を介挿して、ＬＣ直列共振回路に受信周波数に対応する制御電圧を印加し、受信周波数に応じた静電容量値に基づいて直列共振を生じさせるようにしたものがある。つまり、可変容量素子に制御電圧を印加して受信アンテナの共振周波数を制御するようにしたものがある（例えば、特許文献１参照）。
【０００４】
【特許文献１】特開平１０−２０９８９７号公報（第３頁〜第６頁、第１図〜第６図）
【発明の開示】
【発明が解決しようとする課題】
【０００５】
従来の受信装置は以上のように構成されているので、受信周波数に対応する制御電圧を可変容量素子に印加して、受信周波数帯域において良好なＶＳＷＲ特性を得ているものの（言い換えると、単一エレメントの受信アンテナを用いて広帯域で受信を行っているものの）、受信アンテナの受信周波数帯域内において所望の放送波に隣接して妨害波が存在すると、受信周波数帯域内において良好なＶＳＷＲ特性が得られているにも拘わらず、妨害波の受信電界強度が高いと所望の放送波を良好に受信できなくなってしまうという課題があった。
【０００６】
この発明は上記のような課題を解決するためになされたもので、妨害波の影響を除去して、常に所望の放送波を良好に受信することのできる受信装置を提供することを目的とする。
【課題を解決するための手段】
【０００７】
この発明に係る受信装置は、所望の送信信号を受信信号として受信しており、共振周波数が調整可能な受信アンテナと、共振周波数を調整する周波数調整手段と、受信アンテナで受信される受信信号の受信電界レベルに応じて周波数調整手段を制御する制御手段とを備えたものである。
【発明の効果】
【０００８】
この発明によれば、受信アンテナで受信される受信信号の受信電界レベルに基づいて受信アンテナの共振周波数を変更するように構成したので、妨害波の影響を除いて良好に所望の送信信号を受信信号として受信できるという効果がある。
【発明を実施するための最良の形態】
【０００９】
実施の形態１．
まず、図１を参照して、ここでは、放送波として地上デジタルＴＶ放送波（以下単にデジタル放送波と呼ぶ）を受信する受信装置について説明するが、アナログ放送波を受信する受信装置についても同様にして適用することができる。図１に示す受信装置１０は車両等の移動体に搭載され、後述するようにして、デジタル放送波（送信信号）を受信信号として受信する。受信装置１０には単一エレメントの受信アンテナ１１が備えられ、この受信アンテナ１１は受信機１２に接続されている。
【００１０】
この受信アンテナ１１は、図２に示すように、中心周波数ｆ０で共振する単峰性ＶＳＷＲ特性を有しており、下限周波数ｆＬの近傍及び上限周波数ｆＨの近傍においては、ＶＳＷＲが悪化してしまうため、受信アンテナ１１に可変リアクタンス素子１１ａを備えて、この可変リアクタンス素子１１ａに後述するようにして、直流制御電圧を印加して受信アンテナ１１の共振周波数を制御するようにしている。つまり、図３に示すように、可変リアクタンス素子１１ａに直流制御電圧を印加して中心周波数（共振周波数）を周波数軸に沿って移動し、あたかも受信周波数帯域を広くしてＶＳＷＲ特性を改善するようにしている。
【００１１】
ところで、国内地上デジタルＴＶ放送ＩＳＤＢ−Ｔ（Ｉｎｔｅｇｒａｔｅｄ  Ｓｅｒｖｉｃｅ  Ｄｉｇｉｔａｌ  Ｂｒｏａｄｃａｓｔｉｎｇ−Ｔｅｒｒｅｓｔｒｉａｌ）は、現行の国内地上アナログ放送からの移行期にあり、２０１１年まではデジタル放送及びアナログ放送の両方が放送される予定である（サイマル放送）。現状では、アナログ放送が９０ＭＨｚから１０８ＭＨｚまで、１７０ＭＨｚから１９４ＭＨｚまで、１９２ＭＨｚから２２２ＭＨｚまで、４７０ＭＨｚから７７０ＭＨｚまでの周波数を用い、デジタル放送が４７０ＭＨｚから７７０ＭＨｚまでの周波数を用いると規定されている。
【００１２】
このような状況下においては、デジタル放送波を送信するチャンネルに隣接してアナログ放送波を送信するチャンネルが存在し、例えば、図４に示すように、デジタル放送波Ｄに隣接して、デジタル放送波Ｄよりも低周波数側にアナログ放送波Ａ１（アナログ映像波ＡＶ１及びアナログ音声波ＡＳ１）が存在し、デジタル放送波Ｄよりも高周波数側にアナログ放送波Ａ２（アナログ映像波ＡＶ２及びアナログ音声波ＡＳ２）が存在することがある。
【００１３】
現状ではアナログ放送波の受信に支障をきたさないように、デジタル放送波の送信出力（送信電力）をアナログ放送波の送信電力よりも低くしており、このため、デジタル放送波Ｄに隣接してアナログ放送波Ａ１及びＡ２が存在する際に、デジタル放送波Ｄを受信しようとすると、アナログ放送波Ａ１又はＡ２が妨害波となってデジタル放送波Ｄを良好に受信できないという事態が生じてしまう。
【００１４】
そこで、アナログ放送波Ａ１又はＡ２が妨害波として存在しても、良好にデジタル放送波Ｄを受信するため、図示の受信装置１０においては以下の構成を有している。図１において、受信機１２は電子同調回路１３、信号処理回路（復調手段）１４、エラー検出部（エラー検出手段）１５、及び制御回路１６を備えており、電子同調回路１３は、高周波自動利得制御回路（ＲＦ−ＡＧＣ：高周波利得手段）１３ａ、第１の混合器（ミキサ）１３ｂ、ＳＡＷ（弾性表面波）フィルタ１３ｃ、中間周波自動利得回路（ＩＦ−ＡＧＣ：中間周波利得手段）１３ｄ、及び第２のミキサ１３ｅを有している。また、信号処理回路１４はＡ／Ｄ（アナログ／デジタル）変換部１４ａ及び信号処理部１４ｂを備えており、制御回路１６は受信周波数制御部１６ａ、受信電界状況識別部（制御手段）１６ｂ、及び直流制御電圧生成部（周波数調整手段）１６ｃを有している。
【００１５】
図示の受信装置１０においては、受信アンテナ１１で受信されたデジタル放送波（つまり、ＲＦ信号）はＲＦ−ＡＧＣ１３ａによってその信号レベルが調整された後、第１のミキサ１３ｂによって第１の中間周波（ＩＦ）信号に変換される。そして、この第１のＩＦ信号はＳＡＷフィルタ１３ｃにおいて妨害波が除去されて、ＩＦ−ＡＧＣ１３ｄにおいて再度信号レベルが調整される。ＩＦ−ＡＧＣ１３ｄの出力は第２のミキサ１３ｅによって第２のＩＦ信号に変換され、この第２のＩＦ信号は信号処理回路１４に入力される。
【００１６】
信号処理回路１４においては、まずＡ／Ｄ変換部１４ａにおいて第２のＩＦ信号をＡ／Ｄ変換してデジタル信号とし、信号処理部１４ｂではこのデジタル信号に所定の信号処理を行って映像信号及び音声信号（復調信号）を得て、映像信号はＣＲＴ１７に出力されて映像として表示される。一方、音声信号はスピーカ１８に出力されて音声としてスピーカ１８から出力される。
【００１７】
信号処理部１４ｂでは信号処理に当ってエラー検出及びエラー訂正を行っており、エラー数がエラー検出部１５に与えられる。そして、エラー検出部１５ではエラー数を検知すると、このエラー数に応じたエラー検出信号を受信電界状況識別部１６ｂに与える。また、受信電界状況識別部１６ｂにはＲＦ−ＡＧＣ１３ａ及びＩＦ−ＡＧＣ１３ｄからそれぞれＲＦレベル及びＩＦレベルを表すＲＦレベル信号及びＩＦレベル信号が入力されており、後述するようにして、受信電界状況識別部１６ｂではエラー検出信号、ＲＦレベル信号、及びＩＦレベル信号に応じて受信電界状況を示す受信電界状態信号を直流制御電圧生成部１６ｃに出力する。
【００１８】
一方、受信周波数制御部１６ａでは、ユーザが受信周波数選択操作を行うと、この受信周波数選択操作に応じて選択された受信周波数（つまり、チャンネル）を選択するため、第１及び第２のミキサ１３ｂ及び１３ｅを制御するとともに、直流制御電圧生成部１６ｃに受信周波数選択信号を与える。そして、直流制御電圧生成部１６ｃでは受信電界状態信号及び受信周波数選択信号に基づいて後述するように、直流制御電圧を生成して、可変リアクタンス素子１１ａに与えることになる。
【００１９】
次に動作について説明する。
図１及び図５を参照して、受信装置１０がオンされ、ユーザが受信周波数選択操作によって所望の受信周波数（つまり、チャンネル）を選択すると、受信周波数制御部１６ａでは受信周波数選択操作に応じて第１及び第２のミキサ１３ｂ及び１３ｅを制御するとともに、直流制御電圧生成部１６ｃに受信周波数選択信号を与える。そして、直流制御電圧生成部１６ｃでは受信周波数選択信号に応じた直流制御電圧を可変リアクタンス素子１１ａに与え、受信アンテナ１１の共振周波数を調整する。
【００２０】
図５は受信周波数選択操作によって共振周波数が調整された際の受信アンテナ１１の受信周波数帯域を示す図であり、図示の例では、受信周波数帯域内に所望のチャンネルであるデジタル放送波Ｄの他に低周波数側のチャンネルに妨害チャンネル（つまり、妨害波）としてアナログ放送波Ａ１のアナログ音声波ＡＳ１が存在する。
【００２１】
図６も参照して、図５に示す状態において、ＲＦ−ＡＧＣ１３ａでは受信アンテナ１１から受信出力（ＲＦ信号）を受けると、デジタル放送波Ｄの受信電界レベルが最適であるとしても、妨害波であるアナログ放送波Ａ１（アナログ音声波ＡＳ１）の受信電界レベルが高いため（図６（ａ）参照）、アナログ放送波Ａ１の受信電界レベルが加わると強受信電界レベルであるとして、受信電界レベルを下げるように動作し、結果的にＲＦ信号の受信電界レベルを低下させる（図６（ｂ）参照）。
【００２２】
そして、ＲＦ−ＡＧＣ１３ａの出力は第１のミキサ１３ｂで第１のＩＦ信号に変換されて、ＳＡＷフィルタ１３ｃに与えられて、ここで妨害波成分が除去されて、デジタル放送波成分がＩＦ−ＡＧＣ１３ｄに与えられる。ＩＦ−ＡＧＣ１３ｄでは、ＲＦ−ＡＧＣ１３ａのレベル抑圧によってデジタル放送波成分の受信電界レベルが低くなりすぎているとして、デジタル放送波成分の受信電界レベルを上げるように作用することになる（図６（ｃ）参照）。ところが、ＩＦ−ＡＧＣ１３ｄの利得調整によってデジタル放送波成分の受信電界レベルを上げると、図６（ｄ）に示すように、不可避的にノイズ成分Ｎを増幅されてしまい、Ｃ／Ｎ比（搬送波対雑音比）が低下してしまい、信号処理回路１４で信号処理を行う際に発生するエラーが増大して、結果的に所望のデジタル放送波を良好に受信できないという事態が生じる。
【００２３】
一方、図７に示すように、所望のデジタル放送波（所望のチャンネル）Ｄ１に隣接するチャンネルがデジタル放送波Ｄ２及びＤ３であることもあり（図示の例では、デジタル放送波Ｄ１の低周波数側に隣接デジタル波Ｄ２が、高周波数側に隣接デジタル波Ｄ３が存在している）、デジタル放送波Ｄ１を受信しようとすると、受信周波数帯域が広い場合、後述するように、ノイズ成分の抑圧をすることが難しくなって、所望のデジタル放送波を良好に受信できないという事態が生じてしまう。
【００２４】
図８を参照して、図７に示す状態において、つまり、ＲＦ−ＡＧＣ１３ａには図８（ａ）に示すデジタル放送波Ｄ１、Ｄ２及びＤ３が入力されているものとすると、ＲＦ−ＡＧＣ１３ａではデジタル放送波Ｄ１の受信電界レベルが十分に高いと、隣接デジタル放送波（つまり、ここでは妨害波である）Ｄ２及びＤ３の受信電界レベルが加わるため、総受信電界レベルがＲＦ−ＡＧＣ１３ａの飽和電界レベル以上となることがあり、このように、総受信電界レベルが飽和電界レベル以上となると、ＲＦ−ＡＧＣ１３ａで利得調整を行う際に、飽和状態に起因するノイズ成分Ｎが加わってしまうことになる（図８（ｂ）参照）。
【００２５】
ＲＦ−ＡＧＣ１３ａの出力は第１のミキサ１３ｂで第１のＩＦ信号に変換されて、ＳＡＷフィルタ１３ｃに与えられて、ここで妨害波成分である隣接デジタル放送波Ｄ２及びＤ３が除去されて、デジタル放送波Ｄ１がＩＦ−ＡＧＣ１３ｄに与えられる。ＩＦ−ＡＧＣ１３ｄでは、利得調整を行って、例えば、デジタル放送波Ｄ１の受信電界レベルをさらに下げる（図８（ｃ）参照）。そして、ＩＦ−ＡＧＣ１３ｄから、例えば、図８（ｄ）に示す受信電界レベルを有する出力が送出されることになる。
【００２６】
ところが、ＲＦ−ＡＧＣ１３ａが飽和状態となると、ノイズ成分Ｎを除去することができず（図８（ｄ）参照）、結果的にＣ／Ｎ比（搬送波対雑音比）が低下してしまい、信号処理回路１４で信号処理を行う際に発生するエラーが増大して、結果的に所望のデジタル放送波Ｄ１を良好に受信できないという事態が生じる。
【００２７】
従って、ここでは、後述するようにして、ＲＦレベル信号、ＩＦ信号、及びエラー検出信号に応じて、受信電界状態識別部１６ｂが直流制御電圧生成部１６ｃを制御して直流制御電圧を調整して（変化させて）、受信アンテナ１１の共振周波数を変更し、受信周波数帯域を周波数軸に沿ってずらし、妨害波の影響を除く。
【００２８】
図９を参照すると、受信電界状態識別部１６ｂはエラー判定部２１、第１及び第２の比較部（比較手段）２２及び２３、電界判定部（第１及び第２の調整手段）２４、及び出力要否判定部（出力判定手段）２５を有しており、エラー判定部２１は前述のエラー検出部１５に接続され、出力要否判定部２５は直流制御電圧生成部１６ｃに接続されている。
【００２９】
図１０も参照して、第１及び第２の比較部２２及び２３にはそれぞれＲＦレベル信号及びＩＦレベル信号が与えられ、第１の比較部２２ではＲＦレベル信号と予め設定されたＲＦレベル閾値Ｔｈ１とを比較して、ＲＦレベル＞Ｔｈ１である際に、ハイレベル（Ｈｉｇｈ  Ｌｅｖｅｌ）信号を第１の比較結果信号として出力する（なお、ＲＦレベル≦Ｔｈ１である際には、第１の比較結果信号としてロウレベル（Ｌｏｗ  Ｌｅｖｅｌ）信号を出力することになる）。一方、第２の比較部２３ではＩＦレベル信号と予め設定されたＩＦレベル閾値Ｔｈ２とを比較して、ＩＦレベル＞Ｔｈ２であると、ハイレベル信号を第２の比較結果信号として出力し、ＩＦレベル≦Ｔｈ２であると、第２の比較結果信号としてロウレベル信号を出力する。
【００３０】
これら第１及び第２の比較結果信号は電界判定部２４に送られ、電界判定部２４では第１の比較結果信号がハイレベルであると（つまり、ＲＦレベルがハイレベルであると：ステップＳＴ１）、続いて第２の比較結果信号がハイレベルであるか否かを判定する（つまり、ＩＦレベルがハイレベルであるか否かを判定する：ステップＳＴ２）。そして、電界判定部２４では、ＩＦレベルがロウレベルであると（ハイレベルでないと）、アナログ放送波による隣接妨害が存在する判定する（第１の判定：ステップＳＴ３）。一方、ＩＦレベルがハイレベルであると、隣接デジタル放送波によって受信強電界レベル状態が生じていると判定する（第２の判定：ステップＳＴ４）。つまり、ＲＦ−ＡＧＣ１３ａが飽和状態にあると判定する。そして、電界判定部２４では第１の判定となると、共振周波数を少しずらすことを示す第１の電圧制御信号（第１の周波数調整信号）を送出し（ステップＳＴ５）、第２の判定となると、共振周波数を大きくずらすことを示す第２の電圧制御信号（第２の周波数調整信号）を送出する（ステップＳＴ６）。
【００３１】
エラー判定部２１ではエラー検出部１５から与えられるエラー検出信号で示される検出エラー数が予め規定されたエラー数を越えると、エラー判定を行い出力要否判定部２５にエラー判定信号を与える。出力要否判定部２５ではエラー判定信号を受けると、第１又は第２の電圧制御信号を直流制御電圧生成部１６ｃに与えることになる。そして、直流制御電圧生成部１６ｃでは第１又は第２の電圧制御信号に応じた直流制御電圧を生成して、可変リアクタンス素子１１ａに直流制御電圧を与える。
【００３２】
第１の電圧制御信号に応じた直流制御電圧を可変リアクタンス素子１１ａに与えると、例えば、図１１に示すように、受信アンテナ１１の共振周波数ｆ０が少し高周波数側にずらされ（例えば、図１１に示すように、デジタル放送波Ｄの帯域の上限まで共振周波数がずらされる（第１の量だけ共振周波数をずらす））、受信アンテナ１１の受信周波数帯域内に妨害波（アナログ音声波ＳＡ１）が存在量が少ない状態となる。
【００３３】
上述のようにして、受信アンテナ１１の共振周波数を高周波波側にずらすと、デジタル放送波Ｄの受信電界レベルは若干低下するものの、妨害波の影響が低減されるので、信号処理回路１４における信号処理の際のエラー数が減少し、デジタル放送波の受信には何等問題が生じることはない。
【００３４】
なお、図１２には示すように、受信周波数帯域内に所望のチャンネルであるデジタル放送波Ｄの他に高周波数側のチャンネルに妨害チャンネル（つまり、妨害波）としてアナログ放送波Ａ２のアナログ音声波ＡＳ２が存在する場合には、共振周波数ｆ０を低周波数側にずらして、受信アンテナ１１の受信周波数帯域内に妨害波（アナログ音声波ＳＡ２）が存在しない状態とすればよい。
【００３５】
一方、第２の電圧制御信号に応じた直流制御電圧を可変リアクタンス素子１１ａに与えると、受信アンテナ１１の共振周波数ｆ０が大きくずらされ（例えば、図１３に示すように、デジタル放送波Ｄ１の帯域の下限を外れるまで共振周波数が大きくずらされることになる（第１の量よりも大きい第２の量共振周波数をずらす）、結果的にＲＦ−ＡＧＣ１３ａの入力電界レベルを低下させて、ＲＦ−ＡＧＣ１３ａの飽和に起因するノイズ成分の発生を抑制し、所望のデジタル放送波Ｄ１の受信を良好にする。
【００３６】
以上のように、この実施の形態１によれば、信号処理部１４ａで信号処理を行った際のエラー数が予め定められた数を越えると、ＲＦ−ＡＧＣ１３ａから得られるＲＦレベルとＩＦ−ＡＧＣ１３ｄから得られるＩＦレベルとに応じて、受信アンテナ１１の共振周波数をずらすように構成したので、妨害波等の存在に拘わらず、所望のデジタル信号波を常に良好に受信できるという効果がある。
【００３７】
この実施の形態１によれば、比較部２２によってＲＦレベルとＲＦレベル閾値とを比較してＲＦレベルがＲＦレベル閾値を越えているとハイレベルの第１の比較結果信号を得て、比較部２３によってＩＦレベルとＩＦレベル閾値とを比較してＩＦレベルがＩＦレベル閾値を越えているとハイレベルの第２の比較結果信号を得、ＩＦレベルがＩＦレベル閾値以下であるとロウレベルの第２の比較結果信号を得て、第１の比較結果信号がハイレベルであって第２の比較結果信号がロウレベルであると受信アンテナ１１の共振周波数を第１の量ずらし、第１の比較結果信号がハイレベルであって第２の比較結果信号がハイレベルであると受信アンテナの共振周波数を第１の量よりも大きい第２の量ずらすようにしたので、妨害波の影響を除くことができるばかりでなく、ＲＦ−ＡＧＣの飽和による受信不良を防止できるという効果がある。
【図面の簡単な説明】
【００３８】
【図１】この発明の実施の形態１による受信装置の一例を示すブロック図である。
【図２】図１に示す受信アンテナの単峰性ＶＳＷＲ特性を示す図である。
【図３】図１に示す受信アンテナの共振周波数の変更を説明するための図である。
【図４】デジタル放送波とアナログ放送波とが隣接する状態を示すチャンネルスペクトラム図である。
【図５】デジタル放送波の低周波数側に隣接するアナログ放送波を示す図である。
【図６】図５に示すアナログ放送波の影響を説明するための図であり、（ａ）は図１に示すＲＦ−ＡＧＣへの入力レベルを示す図、（ｂ）は図１に示すＳＡＷフィルタへの入力レベルを示す図、（ｃ）は図１に示すＩＦ−ＡＧＣへの入力レベルを示す図、（ｄ）はＩＦ−ＡＧＣの出力レベルを示す図である。
【図７】互いに異なるデジタル放送波同士が隣接する状態を示すチャンネルスペクトラム図である。
【図８】図７に示す隣接デジタル放送波の影響を説明するための図であり、（ａ）は図１に示すＲＦ−ＡＧＣへの入力レベルを示す図、（ｂ）はＲＦ−ＡＧＣの出力レベルを示す図、（ｃ）は図１に示すＩＦ−ＡＧＣへの入力レベルを示す図、（ｄ）はＩＦ−ＡＧＣの出力レベルを示す図である。
【図９】図１に示す受信電界状況識別部の構成を示すブロック図である。
【図１０】図９に示す電界判定部の動作を説明するためのフロー図である。
【図１１】図５に示す共振周波数の位置を高周波数側に少しずらした状態を示す図である。
【図１２】デジタル放送波の高周波数側に隣接するアナログ放送波を示す図である。
【図１３】図７に示す共振周波数の位置を低周波数側に大きくずらした状態を示す図である。
【符号の説明】
【００３９】
１０  受信装置、１１  受信アンテナ、１１ａ  可変リアクタンス素子、１２  受信機、１３  電子同調回路、１３ａ  高周波自動利得制御回路（ＲＦ−ＡＧＣ）、１３ｂ  第１の混合器（ミキサ）、１３ｃ  ＳＡＷ（弾性表面波）フィルタ、１３ｄ  中間周波自動利得回路（ＩＦ−ＡＧＣ）、  １３ｅ  第２のミキサ、１４  信号処理回路、１４ａ  Ａ／Ｄ（アナログ／デジタル）変換部、１４ｂ  信号処理部、１５  エラー検出部、１６  制御回路、１６ａ  受信周波数制御部、１６ｂ  受信電界状況識別部、１６ｃ  直流制御電圧生成部、２１  エラー判定部、２２  第１の比較部、２３  第２の比較部、２４  電界判定部、２５  出力要否判定部。
【図１】
2006166009.tif 000003
【図２】
2006166009.tif 000004
【図３】
2006166009.tif 000005
【図４】
2006166009.tif 000006
【図５】
2006166009.tif 000007
【図６】
2006166009.tif 000008
【図７】
2006166009.tif 000009
【図８】
2006166009.tif 000010
【図９】
2006166009.tif 000011
【図１０】
2006166009.tif 000012
【図１１】
2006166009.tif 000013
【図１２】
2006166009.tif 000014
【図１３】
2006166009.tif 000015